(57)【要約】【課題】  薄い紙でもカレンダー上部の綴じ孔に充填した接着剤が染み出さないようにして、カレンダーのカバー紙として使用できるようにする。【解決手段】  ミシン目１１２で区分された所定幅の帯状部１１３内に綴じ孔１１５が形成された複数枚のカレンダー用紙１１を重ねて成るカレンダー本体１０、カレンダー本体１０を貫く綴じ孔１１５に充填される接着剤２０、カレンダー本体１０の上部側を被覆して成り綴じ孔１１５の接着剤２０によりカレンダー本体１０に接着される１枚のカバー紙３０、を有するカレンダー。カバー紙３０は、易折性且つ易撓性で、綴じ孔１１５の開口部に密接される部位には樹脂系接着剤層３０５が形成され、最上層のカレンダー用紙１１ａの表側面Ｓ１を被覆する部分はミシン目１１２を越えた下方領域までを覆う。【選択図】  図１
2012066393.tif 000002
【特許請求の範囲】
【請求項１】
用紙の上縁に沿うミシン目で区分された所定幅の帯状部内に綴じ孔が形成された複数枚のカレンダー用紙を重ねて成るカレンダー本体と、
前記カレンダー本体を貫く綴じ孔に充填されてカレンダー用紙を接着する接着剤と、
前記カレンダー本体の最上層のカレンダー用紙の表側面からカレンダー本体の上縁部を経て最下層のカレンダー用紙の裏側面を被覆して成り、前記綴じ孔に充填された接着剤によりカレンダー本体に接着される１枚のカバー紙と、
を有し、
前記カバー紙は、易折性且つ易撓性であり、少なくとも前記綴じ孔の開口部に密接される部位には樹脂系接着剤層が形成され、最上層のカレンダー用紙の表側面を被覆する部分はミシン目を越えた下方領域まで所定幅で覆う、
ことを特徴とするカレンダー。
【請求項２】
請求項１に於いて、
前記カバー紙は、厚さ０．１３ｍｍ〜０．４０ｍｍの範囲である、
ことを特徴とするカレンダー。
【請求項３】
請求項１又は請求項２に於いて、
前記カバー紙には、最上層のカレンダー用紙の表側面を被覆する部分の表側面に、溶剤系インクによる印刷が施されている、
ことを特徴とするカレンダー。
【請求項４】
請求項１〜請求項３の何れかに於いて、
前記綴じ孔に充填される接着剤は木工ボンドである、
ことを特徴とするカレンダー。
【請求項５】
請求項１〜請求項４の何れかに於いて、
前記樹脂系接着剤層は、塩化ビニル樹脂系接着剤の塗布により形成された層である、
ことを特徴とするカレンダー。
【請求項６】
請求項１〜請求項４の何れかに於いて、
前記樹脂系接着剤層は、両面テープの貼付により形成された層である、
ことを特徴とするカレンダー。
【発明の詳細な説明】
【技術分野】
【０００１】
本発明は、複数枚のカレンダー用紙を揃えて重ね、ミシン目より上部に穿設した綴じ孔に接着剤を充填することにより糊付けしたカレンダーに関する。詳しくは、カレンダーの上部領域を被覆するカバー紙に関する。
【背景技術】
【０００２】
複数枚のカレンダー紙片の上縁部を、綴じ金具を使用することなく綴じ合わせたカレンダー帳が、特開平６−２６２８７８号公報（特許文献１）に開示されている。即ち、上縁部に沿って複数個の貫通孔を配列し、各貫通孔にそれぞれ接着剤を充填することにより接合したカレンダー帳が開示されている。
また、そのようなカレンダー帳を制作する装置が、特開平７−１５６５７４号公報（特許文献２）に開示されている。
【先行技術文献】
【特許文献】
【０００３】
【特許文献１】特開平６−２６２８７８号公報
【特許文献２】特開平７−１５６５７４号公報
【発明の概要】
【発明が解決しようとする課題】
【０００４】
複数枚のカレンダー用紙を揃えて重ね、ミシン目より上部に穿設した各綴じ孔に接着剤を充填して接合する従来のカレンダーでは、上部領域を被覆するカバー紙として、比較的腰の強い厚紙を用いている。
その理由は、仮に薄紙をカバー紙として用いると、綴じ孔に充填した接着剤が綴じ孔の開口部からカバー紙に染み出る等して、その見栄えを悪くするためである。
また、カレンダー用紙をミシン目で切り離す際に、カバー紙を定規がわりに使用できるようにして、切り離し不良を防止したいという要請のためでもある。
【０００５】
カバー紙として厚紙を用いる従来のカレンダーでは、カバー紙の表側面に事業所の広告や名称等（名称，住所，電話番号等）の印刷は無く、白紙のままである。その理由は、そのような厚紙に印刷できるプリンタ及び印刷機が、一般的でないためである。
このため、従来は、各月のカレンダー紙の下縁部近傍の領域に、事業所の広告や名称等を印刷している。しかし、それでは、各月のカレンダー紙の印刷という比較的初期の段階から、カレンダー販売先（注文主）である事業所別の処理が必要となるため、工程が煩雑化して、コストが増加するという不具合がある。また、比較的遅い時期になってからはカレンダー販売先からの注文等に応じて、柔軟に変更等することも困難である。
また、カレンダー紙の下縁部近傍に事業所の広告等が印刷されたカレンダーでは、当該の広告等を切り離すことが容易であるため、広告の実が上がらない恐れもある。
【０００６】
本発明は、市販のプリンタでの印刷処理が可能なカバー紙として適さない薄い紙であっても、カレンダー上部の綴じ孔に充填した接着剤が染み出さないようにすることで、カレンダーのカバー紙として使用できるようにすることを目的とする。また、それにより、カバー紙に、カレンダー注文主である事業所等の広告や名称等を印刷できるようにすることを目的とする。
また、本発明は、カレンダーのカバー紙として薄い紙を使用したために、ミシン目からカレンダー用紙を切り離す際に切り離し不良が発生したとしても、それによる見栄えの悪化が生じないようにすることを目的とする。
【課題を解決するための手段】
【０００７】
本発明の構成を、下記［１］〜［６］に記す。なお、この項（［課題を解決するための手段］）と次項（［発明の効果］）に於いて、符号は理解を容易にするために付したものであり、本発明を符号の構成に限定する趣旨ではない。
【０００８】
［１］構成１
用紙の上縁１１１に沿うミシン目１１２で区分された所定幅の帯状部１１３内に綴じ孔１１５，１１５，，，が形成された複数枚のカレンダー用紙１１，１１，，，を重ねて成るカレンダー本体１０と、
前記カレンダー本体１０を貫く綴じ孔１１５，１１５，，，に充填されてカレンダー用紙１１を接着する接着剤２０と、
前記カレンダー本体１０の最上層のカレンダー用紙１１ａの表側面１１ａＳ１からカレンダー本体１０の上縁部１０１を経て最下層のカレンダー用紙１１ｆの裏側面１１ｆＳ２を被覆して成り、前記綴じ孔１１５，１１５，，に充填された接着剤２０によりカレンダー本体１０に接着される１枚のカバー紙３０と、
を有し、
前記カバー紙３０は、易折性且つ易撓性であり、少なくとも前記綴じ孔１１５，１１５，，，の開口部に密接される部位には樹脂系接着剤層３０５が形成され、最上層のカレンダー用紙１１ａの表側面１１ａＳ１を被覆する部分はミシン目１１２を越えた下方領域まで所定幅で覆う、
ことを特徴とするカレンダー。
【０００９】
綴じ孔１１５，１１５，，，は、帯状部１１３の長手方向に沿って一列に配列されていてもよいが、そのような配置に限定されない。
各カレンダー用紙１１には、それぞれ、１月から１２月まで順に、一月分又は二月分又は三月分又は四月分のカレンダーが印刷されている。即ち、一月分印刷の場合は合計１２枚のカレンダー用紙により、二月分印刷の場合は合計６枚のカレンダー用紙により、三月分印刷の場合は合計４枚のカレンダー用紙により、四月分印刷の場合は合計３枚のカレンダー用紙により、それぞれ、カレンダー本体１０が構成される。
綴じ孔１１５，１１５，，，に充填される接着剤２０としては、例えば、溶液系や水分散系の接着剤を挙げることができる。また、樹脂系接着剤層３０５を形成する接着剤としても、例えば、溶液系や水分散系の接着剤を挙げることができる。
樹脂系接着剤層３０５は、綴じ孔１１５，１１５，，，の開口部とその近傍のみに形成されていてもよいが、カバー紙３０の当該の面全域に形成されていてもよい。また、カバー紙３０の当該の面全域から、ミシン目の下方領域に相当する領域を除いた部分に形成されていてもよい。
カバー紙３０は、最上層のカレンダー用紙１１ａの表側面１１ａＳ１の上部側の領域であって、ミシン目１１２を越えた下方領域までを所定幅で覆う。
【００１０】
［２］構成２
構成１に於いて、
前記カバー紙３０は、厚さ０．１３ｍｍ〜０．４０ｍｍの範囲である、
ことを特徴とするカレンダー。
０．１３ｍｍより薄い場合は、カバー紙として必要な強度を確保できず、実用的でなくなる。また、綴じ孔の接着剤２０の浸透を良好に防止できない場合もある。０．４０ｍｍを越えると、印刷が困難となる。
好ましくは、厚さ０．１５ｍｍ〜０．３５ｍｍの範囲である。
［３］構成３
構成１又は構成２に於いて、
前記カバー紙３０には、最上層のカレンダー用紙１１ａの表側面１１ａＳ１を被覆する部分の表側面３０Ｓ１に、溶剤系インクによる印刷が施されている、
ことを特徴とするカレンダー。
［４］構成４
構成１〜構成３の何れか於いて、
前記綴じ孔１１５，１１５，，，に充填される接着剤２０は木工ボンドである、
ことを特徴とするカレンダー。
木工ボンドとしては、例えば、酢酸ビニル樹脂エマルジョン接着剤を挙げることができるが、これに限定されない。
［５］構成５
構成１〜構成４の何れかに於いて、
前記樹脂系接着剤層３０５は、塩化ビニル樹脂系接着剤の塗布により形成された層である、
ことを特徴とするカレンダー。
［６］構成６
構成１〜構成４の何れかに於いて、
前記樹脂系接着剤層３０５は、両面テープの貼付により形成された層である、
ことを特徴とするカレンダー。
【発明の効果】
【００１１】
構成１は、用紙の上縁１１１に沿うミシン目１１２で区分された所定幅の帯状部１１３内に綴じ孔１１５，１１５，，，が形成された複数枚のカレンダー用紙１１，１１，，，を重ねて成るカレンダー本体１０と、前記カレンダー本体１０を貫く綴じ孔１１５，１１５，，，に充填されてカレンダー用紙１１を接着する接着剤２０と、前記カレンダー本体１０の最上層のカレンダー用紙１１ａの表側面１１ａＳ１からカレンダー本体１０の上縁部１０１を経て最下層のカレンダー用紙１１ｆの裏側面１１ｆＳ２を被覆して成り、前記綴じ孔１１５，１１５，，に充填された接着剤２０によりカレンダー本体１０に接着される１枚のカバー紙３０とを有し、前記カバー紙３０は、易折性且つ易撓性であり、少なくとも前記綴じ孔１１５，１１５，，，の開口部に密接される部位には樹脂系接着剤層３０５が形成され、最上層のカレンダー用紙１１ａの表側面１１ａＳ１を被覆する部分はミシン目１１２を越えた下方領域まで所定幅で覆うことを特徴とするカレンダーであるため、綴じ孔１１５，１１５，，，に充填した接着剤２０がカバー紙３０に染み出して見栄えを悪化させてしまうことを確実に防止できる。また、カバー紙３０として、カレンダー注文主の広告や名称等を印刷したものを使用することができる。また、各カレンダー用紙１１をミシン目から切り離す際に切り離し不良が発生したとしても、その部分をカバー紙３０によって隠すことができるため、見栄えの悪化を防止できる。
【００１２】
構成２は、構成１に於いて、前記カバー紙３０は、厚さ０．１３ｍｍ〜０．４０ｍｍの範囲であることを特徴とするカレンダーであるため、構成１の効果に加えて、カバー紙３０の厚さを具体的に示すことができる。効果がある。
構成３は、構成１又は構成２に於いて、前記カバー紙３０には、最上層のカレンダー用紙１１ａの表側面１１ａＳ１を被覆する部分の表側面３０Ｓ１に、溶剤系インクによる印刷が施されていることを特徴とするカレンダーであるため、構成１又は構成２の効果に加えて、カバー紙の印刷インクを具体的に示すことができる効果がある。
構成４は、構成１〜構成３の何れか於いて、前記綴じ孔１１５，１１５，，，に充填される接着剤２０は木工ボンドであることを特徴とするカレンダーであるため、構成１〜３の何れかの効果に加えて、接着剤２０の材料を具体的に示すことができる効果がある。
構成５は、構成１〜構成４の何れかに於いて、前記樹脂系接着剤層３０５は、塩化ビニル樹脂系接着剤の塗布により形成された層であることを特徴とするカレンダーであるため、構成１〜４の何れかの効果に加えて、樹脂系接着剤層３０５の形成方法と材料を具体的に示すことができる効果がある。
構成６は、構成１〜構成４の何れかに於いて、前記樹脂系接着剤層３０５は、両面テープの貼付により形成された層であることを特徴とするカレンダーであるため、構成１〜４の何れかの効果に加えて、樹脂系接着剤層３０５の形成方法と材料を具体的に示すことができる効果がある。
【図面の簡単な説明】
【００１３】
【図１】実施の形態のカレンダーを示し、（ａ）は綴じ孔１１５とミシン目１１２を透視して示す平面図、（ｂ）は（ａ）内矢視Ｂ−Ｂ断面図。
【図２】図１のカレンダーを示し、（ａ）は印刷例を示す平面図、（ｂ）は（ａ）内矢視Ｂ−Ｂの拡大断面図。
【発明を実施するための形態】
【００１４】
図面を参照して、本発明の実施の形態を説明する。
実施の形態のカレンダーでは、各カレンダー用紙１１に、１月から１２月まで順にそれぞれ二月分づつのカレンダーが印刷されており、合計６枚のカレンダー用紙１１を揃えて重ねることで、カレンダー本体１０が構成される。なお、これは一例であり、各月についてそれぞれ１枚のカレンダー用紙を用いたり、或いは、三月分や四月分をまとめて１枚のカレンダー用紙に印刷してもよい。
【００１５】
各カレンダー用紙１１には、それぞれ、上縁１１１に沿ってミシン目１１２が形成されており、該ミシン目１１２により区分される上部側の所定幅の帯状部１１３には、合計１０個の綴じ孔１１５が一列に形成されている。なお、綴じ孔１１５の数や配列は一例を示すものであり、１０個より少なくてもよく、多くてもよい。また、２列以上の配列でもよく、或いは、ジグザグ配列等でもよい。
【００１６】
カレンダー本体１０の各綴じ孔１１５には、まず、接着剤２０として木工ボンドが充填される。充填後、カバー紙３０が、最上層のカレンダー用紙１１ａの表側面１１ａＳ１からカレンダー本体１０の上縁部１０１を経て最下層のカレンダー用紙１１ｆの裏側面１１ｆＳ２を被覆するように設けられて、或る圧力で密接される。これにより、カバー紙３０が、カレンダー本体１０に接合される。
接着剤２０として木工ボンドを用いると、加熱が不要であるため、省エネとなるが、木工ボンドに限定されない。他の接着剤を用いてもよい。
【００１７】
このカバー紙３０の厚さとして、ここでは、０．２ｍｍのものを採用している。このため、市販のプリンタによる印刷を容易に行うことができる。例えば、或る事業所（カレンダー注文主）の広告や名称等を、印刷しておくことができる。印刷用インクとしては、例えば、溶剤系インクを用いて、厚盛印刷を行うことができる。
【００１８】
また、カバー紙３０の厚さとして、ここでは、上述のように０．２ｍｍのものを用いているため、カバー紙３０を最上層のカレンダー用紙１１ａの表側面１１ａＳ１からカレンダー本体１０の上縁部１０１を経て最下層のカレンダー用紙１１ｆの裏側面１１ｆＳ２を被覆するように設ける作業を、容易におこなうことができる。
このようなカバー紙の特性、即ち、上述の作業を容易に行うことができることを担保する特性を、本明細書では、「易折性且つ易撓性」を有すると言う。
【００１９】
カレンダー本体１０に接合されるカバー紙３０は、上述のように、厚さ０．２ｍｍと薄いものであるが、予め、裏面側（綴じ孔１１５の開口部の接着剤２０に密接される側）に樹脂系接着剤層３０５が形成されており、これにより、接着剤２０がカバー紙３０へ浸透すること（染み出すこと）を防止できるため、浸透に起因するカバー紙３０の見栄えの悪化を確実に防止することができる。なお、図示の例では、カバー紙の裏面側の全域に樹脂系接着剤層３０５が形成されているが、これは一例であり、少なくとも、綴じ孔１１５の開口部の接着剤２０を覆うことができる部位に形成されていればよい。
【００２０】
樹脂系接着剤層３０５は、ここでは、塩化ビニル樹脂系接着剤を厚さ０．１２ｍｍ程度に塗布することにより形成している。なお、樹脂系接着剤層３０５の厚さとしては、少なくとも０．０８ｍｍ程度を要する。厚さの上限値は、カレンダーとして見栄えの悪化を招いたり扱いの邪魔にならない程度の値であり、例えば、０．５ｍｍ程度である。また、樹脂系接着剤層３０５の形成材料としては、接着剤２０がカバー紙３０へ浸透することを防止できるものであればよく、塩化ビニル樹脂系接着剤でなくてもよい。
また、塗布に代えて、例えば、両面テープを貼付することにより、樹脂系接着剤層３０５を形成してもよい。
【００２１】
カバー紙３０のサイズとしては、図１（ａ）（ｂ）に示すように、最上層のカレンダー用紙１１ａの表側面１１ａＳ１を覆う部分が、ミシン目１１２より下方の領域までを十分に覆い、且つ、カレンダー用紙１１の印刷領域１１０の上縁よりも上方の領域であるものを用いている。このため、ミシン目１１２でカレンダー用紙１１を切り離す際に、切り離し不良が生じて残片がミシン目１１２の下方に有る場合でも、それを、カバー紙３０で隠すことができ、見栄えの悪化を確実に防止できる。
【００２２】
上記では、カレンダー本体１０とカバー紙３０、カバー紙３０の裏面側に形成される樹脂系接着剤層３０５等、本発明の要旨に関係する部分を説明したが、関係しない部分の構成は任意であり、従来の構成、例えば、カレンダーをつり下げる孔を上部中央に設ける等の構成を、適宜に付加してよいことはもちろんである。
【符号の説明】
【００２３】
１０  カレンダー本体
１０１  カレンダー本体の上縁部
１１  カレンダー用紙
１１ａ  最上層のカレンダー用紙
１１ａＳ１  最上層のカレンダー用紙の表側面
１１ｆ  最下層のカレンダー用紙
１１ｆＳ２  最下層のカレンダー用紙の裏側面
１１０  カレンダーの印刷領域
１１１  カレンダー用紙の上縁
１１２  ミシン目
１１３  帯状部
１１５  綴じ孔
２０  接着剤（綴じ孔に充填された接着剤）
３０  カバー紙
３０Ｓ１  カバー紙の表側面
３０５  樹脂系接着剤層
【図１】
2012066393.tif 000003
【図２】
2012066393.tif 000004